(57)【要約】【課題】各種条件に応じて２Ｄ映像又は３Ｄ映像を出力する映像処理装置を提供すること。【解決手段】映像処理装置は、記憶手段と、検出手段と、制御手段とを備える。前記記憶手段は、１以上のジャンルに応じた２Ｄ又は３Ｄの出力設定を記憶する。前記検出手段は、ジャンル情報から入力映像信号のジャンルを検出する。前記制御手段は、前記出力設定及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する。【選択図】図２
2012134746.tif 000002
【特許請求の範囲】
【請求項１】
１以上のジャンルに応じた２Ｄ又は３Ｄの出力設定を記憶する記憶手段と、
ジャンル情報から入力映像信号のジャンルを検出する検出手段と、
前記出力設定及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する制御手段と、
を備えた映像処理装置。
【請求項２】
指定ジャンルに対して２Ｄ又は３Ｄの前記出力設定を選択する選択手段を備えた請求項１記載の映像処理装置。
【請求項３】
１以上のジャンルに応じた３Ｄ処理パラメータを記憶するパラメータ記憶手段と、
前記検出ジャンル及び前記３Ｄ処理パラメータに基づき前記入力映像信号に対応した３Ｄ映像を出力する３Ｄ映像出力手段と、
を備える請求項１又は２記載の映像処理装置。
【請求項４】
前記制御手段は、前記出力設定及び前記検出ジャンルに基づき、前記入力映像信号に対応した前記２Ｄ映像を前記３Ｄ映像へ変換する３Ｄ変換の有効又は無効を切り換えるように制御する請求項１乃至３の何れか１項記載の映像処理装置。
【請求項５】
前記制御手段は、前記出力設定及び前記検出ジャンルに基づき、前記入力映像信号に対応した前記３Ｄ映像を前記２Ｄ映像へ変換する２Ｄ変換の有効又は無効を切り換えるように制御する請求項１乃至４の何れか１記載の映像処理装置。
【請求項６】
前記記憶手段は、１以上のジャンル及び１以上の入力ソースに応じた前記２Ｄ又は前記３Ｄの前記出力設定を記憶する請求項１乃至５の何れか１項記載の映像処理装置。
【請求項７】
前記２Ｄ映像を前記３Ｄ映像に変換する３Ｄ変換手段を備え、
前記３Ｄ変換手段は、前記出力設定、前記検出ジャンル、及び前記３Ｄ処理パラメータに基づき、前記入力映像信号に対応した前記２Ｄ映像を前記３Ｄ映像へ変換する請求項３乃至６の何れか１項記載の映像処理装置。
【請求項８】
前記制御手段は、前記入力映像信号に対応した前記２Ｄ映像又は３Ｄメガネ用の前記３Ｄ映像を出力するように制御する請求項１乃至７の何れか１項記載の映像処理装置。
【請求項９】
前記制御手段は、前記入力映像信号に対応した前記２Ｄ映像又は裸眼用の前記３Ｄ映像を出力するように制御する請求項１乃至７の何れか１項記載の映像処理装置。
【請求項１０】
前記３Ｄ映像を前記２Ｄ映像に変換する２Ｄ変換手段を備え、
前記記憶手段は、第１のジャンルの前記２Ｄ映像又は前記３Ｄ映像を２Ｄ出力する第１の出力設定を記憶し、
前記制御手段は、前記第１の出力設定及び前記検出ジャンルに基づき、前記第１のジャンルの前記２Ｄ映像を出力し、また、前記第１のジャンルの前記３Ｄ映像を前記２Ｄ映像へ変換し、変換２Ｄ映像を出力するように制御する請求項１乃至９の何れか１項記載の映像処理装置。
【請求項１１】
前記２Ｄ映像を前記３Ｄ映像に変換する３Ｄ変換手段を備え、
前記記憶手段は、第２のジャンルの前記２Ｄ映像又は前記３Ｄ映像を３Ｄ出力する第２の出力設定を記憶し、
前記制御手段は、前記第２の出力設定及び前記検出ジャンルに基づき、前記第２のジャンルの前記３Ｄ映像を出力し、また、前記第２のジャンルの前記２Ｄ映像を前記３Ｄ映像へ変換し、変換３Ｄ映像を出力するように制御する請求項１−６、８、及び９の何れか１項記載の映像処理装置。
【請求項１２】
ジャンル情報から入力映像信号のジャンルを検出し、
ジャンルに応じた２Ｄ又は３Ｄの出力設定、及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する映像処理方法。
【発明の詳細な説明】
【技術分野】
【０００１】
本発明の実施形態は、映像処理装置及び映像処理方法に関する。
【背景技術】
【０００２】
近年、３Ｄ映像（3-dimensional image）の表示が望まれており、３Ｄ映像に対応したテレビ及びプレイヤーが今後普及すると考えられる。３Ｄ映像対応機器としては、３Ｄ変換機能を備える３Ｄ変換機能搭載機器が考えられる。３Ｄ変換機能搭載機器は、３Ｄ変換機能により、２Ｄ映像（2-dimensional image）（放送波、ＤＶＤなどのコンテンツ）を３Ｄ映像に変換し、３Ｄ映像を出力することができる。或いは、３Ｄ映像対応機器としては、２Ｄ変換機能を備える２Ｄ変換機能搭載機器が考えられる。２Ｄ変換機能搭載機器は、２Ｄ変換機能により、３Ｄ映像を２Ｄ映像に変換し、２Ｄ映像を出力することができる。なお、３Ｄ映像対応機器は、３Ｄ映像のコンテンツに基づき、変換処理無しで、３Ｄ映像をそのまま出力することもできる。
【０００３】
３Ｄ映像対応機器が例えばテレビの場合、３Ｄ変換機能及び２Ｄ変換機能のうちの少なくとも一方を備える３Ｄ対応テレビ、或いは何れの変換機能も備えない３Ｄ対応テレビ等が考えられる。
【先行技術文献】
【特許文献】
【０００４】
【特許文献１】特開２０１０−１５７９８９号公報
【発明の概要】
【発明が解決しようとする課題】
【０００５】
ユーザは、各種条件に応じて、２Ｄ映像又は３Ｄ映像を楽しみたいと考える。
【０００６】
本発明の目的は、各種条件に応じて２Ｄ映像又は３Ｄ映像を出力する映像処理装置及び映像処理方法を提供することである。
【課題を解決するための手段】
【０００７】
実施形態によれば、映像処理装置は、記憶手段と、検出手段と、制御手段とを備える。前記記憶手段は、１以上のジャンルに応じた２Ｄ又は３Ｄの出力設定を記憶する。前記検出手段は、ジャンル情報から入力映像信号のジャンルを検出する。前記制御手段は、前記出力設定及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する。
【図面の簡単な説明】
【０００８】
【図１】各実施形態に係るテレビジョン放送受信装置（映像処理装置）の構成の一例を示す図である。
【図２】ジャンル別の２Ｄ／３Ｄ出力設定の画面の一例を示す図である。
【図３】ジャンル別の２Ｄ／３Ｄ出力設定、及びジャンル別の３Ｄ処理パラメータ設定の画面の一例を示す図である。
【図４】入力ソースの指定の画面の一例を示す図である。
【発明を実施するための形態】
【０００９】
以下、各実施形態について図面を参照して説明する。
【００１０】
図１は、各実施形態に係るテレビジョン放送受信装置（映像処理装置）の構成の一例を示す図である。各実施形態では、映像表示モジュール１１４を備えたテレビジョン放送受信装置１１１について説明するが、映像表示モジュール１１４は必須の構成ではない。例えば、各実施形態で説明する映像処理（条件に応じた２Ｄ映像出力又は３Ｄ映像出力）は、ＤＶＤ記録再生装置、ＢＤ記録再生装置、又はＨＤＤ記録再生装置等の映像処理装置にも適用可能である。
【００１１】
例えば、テレビジョン放送受信装置１１１は、映像表示モジュール１１４、スピーカ１１５、操作モジュール１１６、受光モジュール１１８、ＨＤＤ１２０、放送信号入力端子２４４，２５０、出力端子２５９、２６０、チューナ２４５，２５１、ＰＳＫ（Phase Shift Keying）復調器２４６、ＯＦＤＭ（Orthogonal Frequency Division Multiplexing）復調器２５２、ＴＳ（Transport Stream)復号器２４７，２５３、信号処理モジュール２４８、音声処理モジュール２５５、映像処理モジュール２５４、制御モジュール２６１、入出力端子２６２等を備える。なお、放送信号入力端子２４４，２５０は、放送信号（映像信号含む）を入力する端子である。また、入出力端子２６２は、外部接続機器（ＨＤＤ、ＤＶＤプレイヤー、ネットワーク上のサーバ）１２１からの外部信号（映像信号含む）を入力する端子である。
【００１２】
映像処理モジュール２５４は、３Ｄ変換処理モジュール２５４ａ、２Ｄ変換処理モジュール２５４ｂを備える。
【００１３】
３Ｄ変換処理モジュール２５４ａは、放送信号入力端子２４４，２５０又は入出力端子２６２経由で受信したオリジナルの２Ｄ映像信号を３Ｄメガネ用の３Ｄ映像信号又は裸眼用の３Ｄ映像信号へ変換（２Ｄ−３Ｄ変換）し３Ｄ映像信号を出力する。また、３Ｄ変換処理モジュール２５４ａは、ＨＤＤ１２０に記録された２Ｄ映像信号を３Ｄメガネ用の３Ｄ映像信号又は裸眼用の３Ｄ映像信号に変換し３Ｄ映像信号を出力する。
【００１４】
２Ｄ変換処理モジュール２５４ｂは、放送信号入力端子２４４，２５０又は入出力端子２６２経由で受信したオリジナルの３Ｄメガネ用の３Ｄ映像信号又は裸眼用の３Ｄ映像信号を２Ｄ映像信号へ変換（３Ｄ−２Ｄ変換）し２Ｄ映像信号を出力する。また、２Ｄ変換処理モジュール２５４ｂは、ＨＤＤ１２０に記録されたオリジナルの３Ｄメガネ用の３Ｄ映像信号又は裸眼用の３Ｄ映像信号を２Ｄ映像信号へ変換し２Ｄ映像信号を出力する。
【００１５】
また、映像処理モジュール２５４は、２Ｄ−３Ｄ変換又は３Ｄ−２Ｄ変換せずに、２Ｄ映像信号を２Ｄ映像として、３Ｄ映像信号を３Ｄ映像として出力することもできる。
【００１６】
制御モジュール２６１は、ＲＯＭ２６１ａ、ＲＡＭ２６１ｂ、不揮発性メモリ２６１ｃ、ジャンル情報検出モジュール２６１ｅを備える。ジャンル情報検出モジュール２６１ｅは、放送波やＤＶＤなど各種映像ソースから供給される映像信号又は制御信号に含まれるジャンル情報を検出する。ジャンル情報としては、ニュース/報道，スポーツ，情報/ワイドショー，ドラマ，映画，音楽，アニメ，バラエティ等がある。或いは、ジャンル情報検出モジュール２６１ｅは、インターネットを介して、外部サーバから提供される電子番組ガイドから番組ＩＤ及びジャンル情報を検出する。
【００１７】
以下、各実施形態について説明する。なお、テレビジョン放送受信装置１１１は、以下の各実施形態の一部又は全部を組み合わせて実行することも可能である。
【００１８】
（第１の実施形態）
図２は、ジャンル別の２Ｄ／３Ｄ出力設定の画面の一例を示す図である。
【００１９】
ユーザは、操作モジュール１１６又はリモートコントローラ１１７を使用して、ジャンル別の２Ｄ／３Ｄ出力を設定したり、ジャンル別の２Ｄ／３Ｄ出力設定を変更したりすることができる。例えば、テレビジョン放送受信装置１１１の受光モジュール１１８が、リモートコントローラ１１７からの設定画面表示指示を受光すると、制御モジュール２６１は、設定画面表示指示に基づき設定画面の表示を制御する。これに対応して、映像処理モジュール２５４は、図２に示す設定画面を表示するための表示情報を出力し、映像表示モジュール１１４は、図２に示す設定画面を表示する。
【００２０】
ユーザは、リモートコントローラ１７等を使用して、設定画面を介して、ジャンル別に２Ｄ又は３Ｄの出力を設定したり、設定を変更したりすることができる。例えば、ユーザは、リモートコントローラ１７等を使用して、第１のジャンル（ニュース／報道）を指定し、第１のジャンルに対して２Ｄの出力設定を選択し、第２のジャンル（スポーツ）を指定し、第２のジャンルに対して３Ｄの出力設定を選択することができる。不揮発性メモリ２６１ｃは、ジャンル別の２Ｄ又は３Ｄの出力設定を記憶する。例えば、不揮発性メモリ２６１ｃは、第１のジャンルの２Ｄ出力設定、及び第２のジャンルの３Ｄ出力設定を記憶する。
【００２１】
ジャンル情報検出モジュール２６１ｅは、放送信号入力端子２４４又は２５０、或いは入出力端子２６２を介して入力される入力信号からジャンル情報を検出し、ジャンル情報から、この入力信号（この入力信号に含まれた映像信号）の番組のジャンルを検出（特定）する。或いは、ジャンル情報検出モジュール２６１ｅは、入出力端子２６２、インターネットを介して入力される電子番組ガイドから番組ＩＤ及びジャンル情報を検出し、この番組ＩＤのジャンルを検出（特定）する。
【００２２】
制御モジュール２６１は、不揮発性メモリ２６１ｃに記憶されたジャンル別の２Ｄ又は３Ｄの出力設定、及びジャンル情報検出モジュール２６１ｅにより検出（特定）された番組（又は番組ＩＤ）のジャンルに基づき２Ｄ映像又は３Ｄ映像の何れかを出力することを決定（選択）し、出力決定に基づき入力信号に含まれた映像信号に対応した２Ｄ映像又は３Ｄ映像（この番組の２Ｄ映像又は３Ｄ映像、或いはこの番組ＩＤの２Ｄ映像又は３Ｄ映像）を出力するように制御する。
【００２３】
例えば、制御モジュール２６１は、第１のジャンルの２Ｄ出力設定に基づき、第１のジャンルの番組の映像信号に対応した２Ｄ映像を出力するように制御する。第１のジャンルの番組の映像信号が２Ｄ映像信号の場合、制御モジュール２６１は、第１のジャンルの２Ｄ出力設定に基づき、２Ｄ変換及び３Ｄ変換を無効に設定する（又は２Ｄ変換の有効を無効に切り換え、３Ｄ変換の有効を無効に切り換える）。これにより、映像処理モジュール２５４は、第１のジャンルの番組の２Ｄ映像信号を出力し、映像表示モジュール１１４は、第１のジャンルの番組を２Ｄ映像で表示する。
【００２４】
また、第１のジャンルの番組の映像信号が３Ｄ映像信号の場合、制御モジュール２６１は、第１のジャンルの２Ｄ出力設定に基づき、２Ｄ変換を有効に設定し、３Ｄ変換を無効に設定する（又は２Ｄ変換の無項を有効に切り換え、３Ｄ変換の有効を無効に切り換える）。これにより、映像処理モジュール２５４の２Ｄ変換処理モジュール２５４ｂは、第１のジャンルの番組の３Ｄ映像信号を２Ｄ映像信号に変換して出力し、映像表示モジュール１１４は、第１のジャンルの番組を２Ｄ映像で表示する。
【００２５】
また、制御モジュール２６１は、第２のジャンルの３Ｄ出力設定に基づき、第２のジャンルの番組の映像信号に対応した３Ｄ映像を出力するように制御する。第２のジャンルの番組の映像信号が３Ｄ映像信号の場合、制御モジュール２６１は、第２のジャンルの３Ｄ出力設定に基づき、２Ｄ変換及び３Ｄ変換を無効に設定する（又は２Ｄ変換の有効を無効に切り換え、３Ｄ変換の有効を無効に切り換える）。これにより、映像処理モジュール２５４は、第２のジャンルの番組の３Ｄ映像信号を出力し、映像表示モジュール１１４は、第２のジャンルの番組を３Ｄ映像で表示する。
【００２６】
また、第２のジャンルの番組の映像信号が２Ｄ映像信号の場合、制御モジュール２６１は、第２のジャンルの３Ｄ出力設定に基づき、３Ｄ変換を有効に設定し、２Ｄ変換を無効に設定する（又は３Ｄ変換の無項を有効に切り換え、２Ｄ変換の有効を無効に切り換える）。これにより、映像処理モジュール２５４の３Ｄ変換処理モジュール２５４ａは、第２のジャンルの番組の２Ｄ映像信号を３Ｄ映像信号に変換して出力し、映像表示モジュール１１４は、第２のジャンルの番組を３Ｄ映像で表示する。
【００２７】
（第２の実施形態）
図３は、ジャンル別の２Ｄ／３Ｄ出力設定、及びジャンル別の３Ｄ処理パラメータ設定の画面の一例を示す図である。
【００２８】
ユーザは、操作モジュール１１６又はリモートコントローラ１１７を使用して、ジャンル別の２Ｄ／３Ｄ出力を設定したり、ジャンル別の２Ｄ／３Ｄ出力設定を変更したり、ジャンル別の３Ｄ処理パラメータを設定したり、ジャンル別の３Ｄ処理パラメータを変更したりすることができる。例えば、テレビジョン放送受信装置１１１の受光モジュール１１８が、リモートコントローラ１１７からの設定画面表示指示を受光すると、制御モジュール２６１は、設定画面表示指示に基づき設定画面の表示を制御する。これに対応して、映像処理モジュール２５４は、図３に示す設定画面を表示するための表示情報を出力し、映像表示モジュール１１４は、図３に示す設定画面を表示する。
【００２９】
ユーザは、リモートコントローラ１７等を使用して、設定画面を介して、ジャンル別に２Ｄ又は３Ｄの出力を設定したり、設定を変更したり、ジャンル別に３Ｄ処理パラメータを設定したり、設定を変更したりすることができる。例えば、ユーザは、リモートコントローラ１７等を使用して、第１のジャンル（ニュース／報道）を２Ｄ出力に設定し、第２のジャンル（スポーツ）を３Ｄ出力に設定し、第３のジャンル（映画）を３Ｄ出力に設定し、第２のジャンルに対して第１の３Ｄ処理パラメータを設定し、第３のジャンルに対して第２の３Ｄ処理パラメータを設定することができる。不揮発性メモリ２６１ｃは、ジャンル別の２Ｄ又は３Ｄの出力設定、及びジャンル別の３Ｄ処理パラメータを記憶する。例えば、不揮発性メモリ２６１ｃは、第１のジャンルの２Ｄ出力設定、第２のジャンルの３Ｄ出力設定、第３のジャンルの３Ｄ出力設定、第２のジャンルの第１の３Ｄ処理パラメータ、及び第３のジャンルの第２の３Ｄ処理パラメータを記憶する。
【００３０】
３Ｄ処理パラメータは、３Ｄ画質処理パラメータであり、例えば、奥行き調整パラメータ、ガンマ補正パラメータ、及びコントラスト調整パラメータである。映像処理モジュール２５４は、３Ｄ画質処理パラメータ（例えば奥行き調整パラメータ）に基づき、３Ｄ画質（例えば奥行き）を調整する。奥行き調整には、画の飛び出し度合いの調整、画の奥まり具合の調整が含まれる。
【００３１】
ジャンル情報検出モジュール２６１ｅによる番組（又は番組ＩＤ）のジャンル検出は上記説明した通りであり、詳細説明は省略する。
【００３２】
制御モジュール２６１は、不揮発性メモリ２６１ｃに記憶されたジャンル別の２Ｄ又は３Ｄの出力設定、ジャンル別の３Ｄ処理パラメータ、及びジャンル情報検出モジュール２６１ｅにより検出（特定）された番組（又は番組ＩＤ）のジャンルに基づき、入力信号に含まれた映像信号に対応した２Ｄ映像又は３Ｄ映像を出力するように制御する。
【００３３】
例えば、制御モジュール２６１は、第２のジャンルの３Ｄ出力設定及び第２のジャンルの第１の３Ｄ処理パラメータ（例えば第１のレベルの奥行き感を出す）に基づき、第２のジャンルの番組の映像信号に対応した３Ｄ映像（例えば第１のレベルの奥行き感のある３Ｄ映像）を出力するように制御する。第２のジャンルの番組の映像信号が３Ｄ映像信号の場合、映像処理モジュール２５４は、第１の３Ｄ処理パラメータに基づき、第２のジャンルの番組の３Ｄ映像信号を処理して、第１の３Ｄ処理パラメータで処理された３Ｄ映像信号を出力する。これにより、映像表示モジュール１１４は、第２のジャンルの番組を第１のレベルの奥行き感のある３Ｄ映像で表示する。また、第２のジャンルの番組の映像信号が２Ｄ映像信号の場合、映像処理モジュール２５４及び３Ｄ変換処理モジュール２５４ａは、第１の３Ｄ処理パラメータに基づき、第２のジャンルの番組の２Ｄ映像信号を３Ｄ映像信号へ変換し、第１の３Ｄ処理パラメータで処理された３Ｄ映像信号を出力する。これにより、映像表示モジュール１１４は、第２のジャンルの番組を第１のレベルの奥行き感のある３Ｄ映像で表示する。
【００３４】
また、制御モジュール２６１は、第３のジャンルの３Ｄ出力設定及び第３のジャンルの第２の３Ｄ処理パラメータ（例えば第２のレベルの奥行き感を出す）に基づき、第３のジャンルの番組の映像信号に対応した３Ｄ映像（例えば第２のレベルの奥行き感のある３Ｄ映像）を出力するように制御する。第３のジャンルの番組の映像信号が３Ｄ映像信号の場合、映像処理モジュール２５４は、第２の３Ｄ処理パラメータに基づき、第３のジャンルの番組の３Ｄ映像信号を処理して、第２の３Ｄ処理パラメータで処理された３Ｄ映像信号を出力する。これにより、映像表示モジュール１１４は、第３のジャンルの番組を第２のレベルの奥行き感のある３Ｄ映像で表示する。また、第３のジャンルの番組の映像信号が２Ｄ映像信号の場合、映像処理モジュール２５４及び３Ｄ変換処理モジュール２５４ａは、第２の３Ｄ処理パラメータに基づき、第３のジャンルの番組の２Ｄ映像信号を３Ｄ映像信号へ変換し、第２の３Ｄ処理パラメータで処理された３Ｄ映像信号を出力する。これにより、映像表示モジュール１１４は、第３のジャンルの番組を第２のレベルの奥行き感のある３Ｄ映像で表示する。
【００３５】
（第３の実施形態）
図４は、入力ソースの指定の画面の一例を示す図である。
【００３６】
ユーザは、操作モジュール１１６又はリモートコントローラ１１７を使用して、入力ソースを指定することができる。例えば、テレビジョン放送受信装置１１１の受光モジュール１１８が、リモートコントローラ１１７からの指定表示指示を受光すると、制御モジュール２６１は、指定画面表示指示に基づき指定画面の表示を制御する。これに対応して、映像処理モジュール２５４は、図４に示す指定画面を表示するための表示情報を出力し、映像表示モジュール１１４は、図４に示す指定画面を表示する。
【００３７】
ユーザは、リモートコントローラ１７等を使用して、指定画面を介して、入力ソースを指定することができる。入力ソース指定後に、ユーザは、操作モジュール１１６又はリモートコントローラ１１７を使用して、図２に示す設定画面を介して、ジャンル別の２Ｄ／３Ｄ出力を設定したり、ジャンル別の２Ｄ／３Ｄ出力設定を変更したりすることができる。或いは、入力ソース指定後に、ユーザは、操作モジュール１１６又はリモートコントローラ１１７を使用して、図３に示す設定画面を介して、ジャンル別の２Ｄ／３Ｄ出力を設定したり、ジャンル別の２Ｄ／３Ｄ出力設定を変更したり、ジャンル別の３Ｄ処理パラメータを設定したり、ジャンル別の３Ｄ処理パラメータを変更したりすることができる。
【００３８】
例えば、ユーザは、リモートコントローラ１７等を使用して、入力ソースとして放送波を指定し、第１のジャンル（ニュース／報道）を２Ｄ出力に設定し、第２のジャンル（スポーツ）を３Ｄ出力に設定し、第３のジャンル（映画）を３Ｄ出力に設定し、第２のジャンルに対して第１の３Ｄ処理パラメータを設定し、第３のジャンルに対して第２の３Ｄ処理パラメータを設定することができる。不揮発性メモリ２６１ｃは、入力ソースの指定、ジャンル別の２Ｄ又は３Ｄの出力設定、及びジャンル別の３Ｄ処理パラメータを記憶する。例えば、不揮発性メモリ２６１ｃは、放送波の指定、第１のジャンルの２Ｄ出力設定、第２のジャンルの３Ｄ出力設定、第３のジャンルの３Ｄ出力設定、第２のジャンルの第１の３Ｄ処理パラメータ、及び第３のジャンルの第２の３Ｄ処理パラメータを記憶する。
【００３９】
また、ユーザは、リモートコントローラ１７等を使用して、入力ソースとして記録映像を指定し、第１のジャンル（ニュース／報道）を２Ｄ出力に設定し、第２のジャンル（スポーツ）も２Ｄ出力に設定し、第３のジャンル（映画）を３Ｄ出力に設定し、第３のジャンルに対して第１の３Ｄ処理パラメータを設定することができる。例えば、不揮発性メモリ２６１ｃは、記録映像の指定、第１のジャンルの２Ｄ出力設定、第２のジャンルの２Ｄ出力設定、第３のジャンルの３Ｄ出力設定、及び第３のジャンルの第１の３Ｄ処理パラメータを記憶する。なお、入力ソースとしては、放送信号入力端子２４４，２５０からの放送信号、ＨＤＤ１２０からの録画映像信号、入出力端子２６２からの外部入力信号などが挙げられる。
【００４０】
制御モジュール２６１は、不揮発性メモリ２６１ｃに記憶された入力ソースの指定、ジャンル別の２Ｄ又は３Ｄの出力設定、ジャンル別の３Ｄ処理パラメータ、及び検出（特定）された番組（又は番組ＩＤ）のジャンルに基づき、入力信号に含まれた映像信号に対応した２Ｄ映像又は３Ｄ映像を出力するように制御する。
【００４１】
例えば、制御モジュール２６１は、放送波の指定、第２のジャンルの３Ｄ出力設定及び第２のジャンルの第１の３Ｄ処理パラメータ（例えば第１のレベルの奥行き感を出す）に基づき、放送波の入力（放送信号入力端子２４４，２５０）から得られる第２のジャンルの番組の映像信号に対応した３Ｄ映像（例えば第１のレベルの奥行き感のある３Ｄ映像）を出力するように制御する。第２のジャンルの番組の映像信号が３Ｄ映像信号の場合、映像処理モジュール２５４は、第１の３Ｄ処理パラメータに基づき、第２のジャンルの番組の３Ｄ映像信号を処理して、第１の３Ｄ処理パラメータで処理された３Ｄ映像信号を出力する。これにより、映像表示モジュール１１４は、第２のジャンルの番組を第１のレベルの奥行き感のある３Ｄ映像で表示する。また、第２のジャンルの番組の映像信号が２Ｄ映像信号の場合、映像処理モジュール２５４及び３Ｄ変換処理モジュール２５４ａは、第１の３Ｄ処理パラメータに基づき、第２のジャンルの番組の２Ｄ映像信号を３Ｄ映像信号へ変換し、第１の３Ｄ処理パラメータで処理された３Ｄ映像信号を出力する。これにより、映像表示モジュール１１４は、第２のジャンルの番組を第１のレベルの奥行き感のある３Ｄ映像で表示する。
【００４２】
例えば、制御モジュール２６１は、記録映像の指定、第３のジャンルの３Ｄ出力設定及び第３のジャンルの第１の３Ｄ処理パラメータ（例えば第１のレベルの奥行き感を出す）に基づき、記録映像の入力（ＨＤＤ１２０）から得られる第３のジャンルの番組の映像信号に対応した３Ｄ映像（例えば第１のレベルの奥行き感のある３Ｄ映像）を出力するように制御する。第３のジャンルの番組の映像信号が３Ｄ映像信号の場合、映像処理モジュール２５４は、第１の３Ｄ処理パラメータに基づき、第３のジャンルの番組の３Ｄ映像信号を処理して、第１の３Ｄ処理パラメータで処理された３Ｄ映像信号を出力する。これにより、映像表示モジュール１１４は、第３のジャンルの番組を第１のレベルの奥行き感のある３Ｄ映像で表示する。また、第３のジャンルの番組の映像信号が２Ｄ映像信号の場合、映像処理モジュール２５４及び３Ｄ変換処理モジュール２５４ａは、第１の３Ｄ処理パラメータに基づき、第３のジャンルの番組の２Ｄ映像信号を３Ｄ映像信号へ変換し、第１の３Ｄ処理パラメータで処理された３Ｄ映像信号を出力する。これにより、映像表示モジュール１１４は、第３のジャンルの番組を第１のレベルの奥行き感のある３Ｄ映像で表示する。
【００４３】
なお、上記３Ｄ映像は、メガネ式に対応した３Ｄ映像であってもよいし、裸眼式に対応した３Ｄ映像であってもよい。例えば、シャッタメガネに対応した３Ｄ映像は、複数の左目用画像と複数の右目用画像とで構成される。テレビジョン放送受信装置１１１は、左目用画像と右目用画像とを交互に出力（表示）し、また、シャッタメガネに対して交互出力のタイミングに同期した同期信号を送信する。シャッタメガネは、同期信号に基づき、左目用画像表示タイミングで左目のシャッタを開き、右目のシャッタを閉じ、また、右目用画像表示タイミングで右目のシャッタを開き、左目のシャッタを閉じる。これにより、シャッタメガネをかけたユーザは、左目用画像表示タイミングで左目用画像を見て、右目用画像表示タイミングで右目用画像を見ることができ、３Ｄ画像を見ることができる。
【００４４】
また、裸眼式に対応した３Ｄ映像としては、例えば、両眼視差を用いる両眼視差方式に対応した３Ｄ映像、実際に空間像を形成する空間像再生方式に対応した３Ｄ映像がある。両眼視差方式はさらに２眼式と多眼式とに分類することができる。２眼式は、左眼用の画像と右眼用の画像とを左眼と右眼とでそれぞれ見えるようにした方式である。また、多眼式は映像撮影時の観察位置を複数にすることで情報量を増加し、より立体映像を観察できる範囲を広げた方式である。空間像再生方式はさらにホログラフィ方式とインテグラル・フォトグラフィ方式（光線再生法）とに分類することができる。インテグラル・フォトグラフィ方式は両眼視差方式として分類されている場合もある。インテグラル・フォトグラフィ方式は、光線の経路が撮影時と映像再生時とで全く逆の経路を辿るので、光線数を十分多くし且つ画素サイズを十分小さくできた場合には完全に近い立体映像が再生される。このため、理想的なインテグラル方式は空間像再生方式として分類される。
【００４５】
上記説明した各実施形態によれば、テレビジョン放送受信装置１１１は、番組のジャンルに応じて、２Ｄ映像又は３Ｄ映像を出力（表示）することができる。さらに、テレビジョン放送受信装置１１１は、番組のジャンルに応じた３Ｄ画質に調整することができる。従って、ユーザにとって好適な３Ｄ対応機器を提供することができる。
【００４６】
なお、上記したモジュールとは、ハードウェアで実現するものであっても良いし、ＣＰＵ等を使ってソフトウェアで実現するものであってもよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１１１…テレビジョン放送受信装置、１１４…映像表示モジュール、１１５…スピーカ、１１６…操作モジュール、１１８…受光モジュール、１２０…ＨＤＤ、２４４，２５０…放送信号入力端子、２４５，２５１…チューナ、２４６…ＰＳＫ復調器、２４７，２５３…ＴＳ復号器、２４８…信号処理モジュール、２５２…ＯＦＤＭ復調器、２５４…映像処理モジュール、２５５…音声処理モジュール、２５９，２６０…出力端子、２６１…制御モジュール、２６２…入出力端子
【図１】
2012134746.tif 000003
【図２】
2012134746.tif 000004
【図３】
2012134746.tif 000005
【図４】
2012134746.tif 000006
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
指定入力ソースと指定ジャンルに応じた２Ｄ又は３Ｄの出力設定を記憶する記憶手段と、
ジャンル情報から入力映像信号のジャンルを検出する検出手段と、
前記出力設定、検出ジャンル、及び前記入力映像信号の入力ソースに基づき２Ｄ映像出力又は３Ｄ映像出力を決定し、２Ｄ映像出力決定に基づき前記入力映像信号に対応した入力２Ｄ映像を出力するように制御し、又は前記２Ｄ映像出力決定に基づき前記入力映像信号に対応した入力３Ｄ映像を２Ｄ映像へ変換し変換２Ｄ映像を出力するように制御し、又は３Ｄ映像出力決定に基づき前記入力映像信号に対応した前記入力３Ｄ映像を出力するように制御し、又は前記３Ｄ映像出力決定に基づき前記入力映像信号に対応した前記入力２Ｄ映像を３Ｄ映像へ変換し変換３Ｄ映像を出力するように制御する制御手段と、
を備えた映像処理装置。
【請求項２】
前記記憶手段は、前記指定入力ソースと前記指定ジャンルに応じた３Ｄ処理パラメータを記憶し、
前記制御手段は、前記３Ｄ映像出力決定に基づき前記入力映像信号に対応した前記入力３Ｄ映像を前記３Ｄ処理パラメータにより処理して出力するように制御する請求項１記載の映像処理装置。
【請求項３】
前記記憶手段は、前記指定入力ソースと前記指定ジャンルに応じた３Ｄ処理パラメータを記憶し、
前記制御手段は、前記３Ｄ映像出力決定に基づき前記入力映像信号に対応した前記入力２Ｄ映像を前記３Ｄ処理パラメータにより前記変換３Ｄ映像へ変換し出力するように制御する請求項１又は２記載の映像処理装置。
【請求項４】
前記指定入力ソースと前記指定ジャンルに対応付けて複数種類の３Ｄ調整パラメータを設定する設定手段を備え、
前記記憶手段は、前記複数種類の３Ｄ調整パラメータを含む前記前記３Ｄ処理パラメータを記憶し、
前記制御手段は、前記３Ｄ映像出力決定に基づき前記入力映像信号に対応した前記入力３Ｄ映像を前記複数種類の調整パラメータにより処理して出力するように制御する請求項１記載の映像処理装置。
【請求項５】
前記指定入力ソースと前記指定ジャンルに対応付けて複数種類の３Ｄ調整パラメータを設定する設定手段を備え、
前記記憶手段は、前記複数種類の３Ｄ調整パラメータを含む前記前記３Ｄ処理パラメータを記憶し、
前記制御手段は、前記３Ｄ映像出力決定に基づき前記入力映像信号に対応した前記入力２Ｄ映像を前記複数種類の調整パラメータにより前記変換３Ｄ映像へ変換して出力するように制御する請求項１又は４記載の映像処理装置。
【請求項６】
前記入力２Ｄ映像を前記変換３Ｄ映像に変換する３Ｄ変換手段を備えた請求項３又は５記載の映像処理装置。
【請求項７】
前記制御手段は、前記入力映像信号に対応した前記入力２Ｄ映像又は３Ｄメガネ用の前記入力３Ｄ映像を出力するように制御する請求項１乃至６の何れか１項記載の映像処理装置。
【請求項８】
前記制御手段は、前記入力映像信号に対応した前記入力２Ｄ映像又は裸眼用の前記入力３Ｄ映像を出力するように制御する請求項１乃至６の何れか１項記載の映像処理装置。
【請求項９】
前記入力３Ｄ映像を前記変換２Ｄ映像に変換する２Ｄ変換手段を備えた請求項１乃至８の何れか１項記載の映像処理装置。
【請求項１０】
指定入力ソースに応じた２Ｄ又は３Ｄの出力設定を記憶する記憶手段と、
前記出力設定及び入力映像信号の入力ソースに基づき２Ｄ映像出力又は３Ｄ映像出力を決定し、２Ｄ映像出力決定に基づき前記入力映像信号に対応した入力２Ｄ映像を出力するように制御し、又は前記２Ｄ映像出力決定に基づき前記入力映像信号に対応した入力３Ｄ映像を２Ｄ映像へ変換し変換２Ｄ映像を出力するように制御し、又は３Ｄ映像出力決定に基づき前記入力映像信号に対応した前記入力３Ｄ映像を出力するように制御し、又は前記３Ｄ映像出力決定に基づき前記入力映像信号に対応した前記入力２Ｄ映像を３Ｄ映像へ変換し変換３Ｄ映像を出力するように制御する制御手段と、
を備えた映像処理装置。
【請求項１１】
ジャンル情報から入力映像信号のジャンルを検出し、
指定入力ソースと指定ジャンルに応じた２Ｄ又は３Ｄの出力設定、検出ジャンル、及び前記入力映像信号の入力ソースに基づき２Ｄ映像出力又は３Ｄ映像出力を決定し、２Ｄ映像出力決定に基づき前記入力映像信号に対応した入力２Ｄ映像を出力するように制御し、又は前記２Ｄ映像出力決定に基づき前記入力映像信号に対応した入力３Ｄ映像を２Ｄ映像へ変換し変換２Ｄ映像を出力するように制御し、又は３Ｄ映像出力決定に基づき前記入力映像信号に対応した前記入力３Ｄ映像を出力するように制御し、又は前記３Ｄ映像出力決定に基づき前記入力映像信号に対応した前記入力２Ｄ映像を３Ｄ映像へ変換し変換３Ｄ映像を出力するように制御する映像処理方法。
【手続補正２】
【補正対象書類名】明細書
【補正対象項目名】００４７
【補正方法】変更
【補正の内容】
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［１］
１以上のジャンルに応じた２Ｄ又は３Ｄの出力設定を記憶する記憶手段と、
ジャンル情報から入力映像信号のジャンルを検出する検出手段と、
前記出力設定及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する制御手段と、
を備えた映像処理装置。
［２］
指定ジャンルに対して２Ｄ又は３Ｄの前記出力設定を選択する選択手段を備えた［１］記載の映像処理装置。
［３］
１以上のジャンルに応じた３Ｄ処理パラメータを記憶するパラメータ記憶手段と、
前記検出ジャンル及び前記３Ｄ処理パラメータに基づき前記入力映像信号に対応した３Ｄ映像を出力する３Ｄ映像出力手段と、
を備える［１］又は［２］記載の映像処理装置。
［４］
前記制御手段は、前記出力設定及び前記検出ジャンルに基づき、前記入力映像信号に対応した前記２Ｄ映像を前記３Ｄ映像へ変換する３Ｄ変換の有効又は無効を切り換えるように制御する［１］乃至［３］の何れか１つに記載の映像処理装置。
［５］
前記制御手段は、前記出力設定及び前記検出ジャンルに基づき、前記入力映像信号に対応した前記３Ｄ映像を前記２Ｄ映像へ変換する２Ｄ変換の有効又は無効を切り換えるように制御する［１］乃至［４］の何れか１つに記載の映像処理装置。
［６］
前記記憶手段は、１以上のジャンル及び１以上の入力ソースに応じた前記２Ｄ又は前記３Ｄの前記出力設定を記憶する［１］乃至［５］の何れか１つに記載の映像処理装置。
［７］
前記２Ｄ映像を前記３Ｄ映像に変換する３Ｄ変換手段を備え、
前記３Ｄ変換手段は、前記出力設定、前記検出ジャンル、及び前記３Ｄ処理パラメータに基づき、前記入力映像信号に対応した前記２Ｄ映像を前記３Ｄ映像へ変換する［３］乃至［６］の何れか１つに記載の映像処理装置。
［８］
前記制御手段は、前記入力映像信号に対応した前記２Ｄ映像又は３Ｄメガネ用の前記３Ｄ映像を出力するように制御する［１］乃至［７］の何れか１つに記載の映像処理装置。
［９］
前記制御手段は、前記入力映像信号に対応した前記２Ｄ映像又は裸眼用の前記３Ｄ映像を出力するように制御する［１］乃至［７］の何れか１つに記載の映像処理装置。
［１０］
前記３Ｄ映像を前記２Ｄ映像に変換する２Ｄ変換手段を備え、
前記記憶手段は、第１のジャンルの前記２Ｄ映像又は前記３Ｄ映像を２Ｄ出力する第１の出力設定を記憶し、
前記制御手段は、前記第１の出力設定及び前記検出ジャンルに基づき、前記第１のジャンルの前記２Ｄ映像を出力し、また、前記第１のジャンルの前記３Ｄ映像を前記２Ｄ映像へ変換し、変換２Ｄ映像を出力するように制御する［１］乃至［９］の何れか１つに記載の映像処理装置。
［１１］
前記２Ｄ映像を前記３Ｄ映像に変換する３Ｄ変換手段を備え、
前記記憶手段は、第２のジャンルの前記２Ｄ映像又は前記３Ｄ映像を３Ｄ出力する第２の出力設定を記憶し、
前記制御手段は、前記第２の出力設定及び前記検出ジャンルに基づき、前記第２のジャンルの前記３Ｄ映像を出力し、また、前記第２のジャンルの前記２Ｄ映像を前記３Ｄ映像へ変換し、変換３Ｄ映像を出力するように制御する［１］−［６］、［８］、及び［９］の何れか１つに記載の映像処理装置。
［１２］
ジャンル情報から入力映像信号のジャンルを検出し、
ジャンルに応じた２Ｄ又は３Ｄの出力設定、及び検出ジャンルに基づき２Ｄ映像又は３Ｄ映像の何れかを出力することを決定し、出力決定に基づき前記入力映像信号に対応した２Ｄ映像又は３Ｄ映像を出力するように制御する映像処理方法。